(57)【特許請求の範囲】
【請求項１】
Ｗｉ−Ｆｉモジュールを有する第１インテリジェント装置が実行するマイクロコントローラユニットＭＣＵチップのウェイクアップ方法であって、
ワイヤレスフィディリティＷｉ−Ｆｉチップが低消費電力モード下にある場合に、第２インテリジェント装置から送信された前記低消費電力モード専用のワイヤレスメッセージを受信することと、
前記ワイヤレスメッセージが特定のウェイクアップメッセージか否かを検出することと、
前記ワイヤレスメッセージが前記特定のウェイクアップメッセージであると検出した場合に、割込ウェイクアップ信号を前記Ｗｉ−ＦｉチップとＭＣＵチップとの間を接続するウェイクアップピンを介して前記ＭＣＵチップに送信することによって、前記ＭＣＵチップをウェイクアップすることと、
前記第１インテリジェント装置自身の状態を表す状態情報をサードパーティのサーバに定期的に送信することによって、前記サードパーティの前記サーバが、前記第１インテリジェント装置の前記Ｗｉ−Ｆｉモジュールがディープスリープ状態に入るかどうかを判別できるように、前記第１インテリジェント装置の前記Ｗｉ−Ｆｉモジュールが作業状態下にあることを前記サードパーティの前記サーバに知らせることと、
を備え、
前記ＭＣＵチップと前記Ｗｉ−Ｆｉチップとは同一の前記Ｗｉ−Ｆｉモジュールに集積されている、
マイクロコントローラユニットＭＣＵチップのウェイクアップ方法。
【請求項２】
前記割込ウェイクアップ信号を前記ＭＣＵチップに送信することによって、前記ＭＣＵチップをウェイクアップすることの後に、
前記低消費電力モードが通常動作モードに切り替わるよう前記Ｗｉ−Ｆｉチップを前記ＭＣＵチップにより制御することを更に備える請求項１に記載の方法。
【請求項３】
前記低消費電力モードが前記通常動作モードに切り替わるよう前記Ｗｉ−Ｆｉチップを前記ＭＣＵチップにより制御することの後に、
通知メッセージを放送するよう前記ＭＣＵチップにより前記Ｗｉ−Ｆｉチップを制御することと、
前記通知メッセージに応じて前記第２インテリジェント装置により送信されるデータを前記Ｗｉ−Ｆｉチップにより受信することと、
を更に備える請求項２に記載の方法。
【請求項４】
第２インテリジェント装置が実行する方法であって、
データを第１インテリジェント装置に送信するイベントが開始されたことを検出し、前記第１インテリジェント装置のＷｉ−Ｆｉモジュールがディープスリープ状態に入るかどうかを判別できるように、前記第１インテリジェント装置の状態を表す状態情報をサードパーティのサーバから取得して、前記第１インテリジェント装置の前記Ｗｉ−Ｆｉモジュールがスリープ状態下にあると判別した場合に、前記第１インテリジェント装置の前記Ｗｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成することと、
前記ウェイクアップメッセージを前記第１インテリジェント装置に送信することによって、前記第１インテリジェント装置の前記Ｗｉ−Ｆｉモジュールにおける前記ＭＣＵチップをウェイクアップすることと、
を備えるマイクロコントローラユニットＭＣＵチップのウェイクアップ方法。
【請求項５】
前記ウェイクアップメッセージを前記第１インテリジェント装置に送信することの後に、
前記第１インテリジェント装置の前記Ｗｉ−Ｆｉモジュールにおける前記ＭＣＵチップがウェイクアップされてから前記第１インテリジェント装置により送信される通知メッセージを受信することと、
前記通知メッセージに応じて、データを前記第１インテリジェント装置に送信することと、
を更に備える請求項４に記載の方法。
【請求項６】
ワイヤレスフィディリティＷｉ−Ｆｉチップが低消費電力モード下にある場合に、第２インテリジェント装置から送信された前記低消費電力モード専用のワイヤレスメッセージを受信するように構成された第１受信モジュールと、
前記ワイヤレスメッセージが特定のウェイクアップメッセージか否かを検出するように構成された検出モジュールと、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信することによって、前記ＭＣＵチップをウェイクアップするように構成されたウェイクアップモジュールと、
を備え、
前記ＭＣＵチップと前記Ｗｉ−Ｆｉチップとは同一のＷｉ−Ｆｉモジュールに集積され、
自身の状態を表す状態情報をサードパーティのサーバに定期的に送信することによって、前記サードパーティの前記サーバが、前記Ｗｉ−Ｆｉモジュールがディープスリープ状態に入るかどうかを判別できるように、前記Ｗｉ−Ｆｉモジュールが作業状態下にあることを前記サードパーティの前記サーバに知らせる、
マイクロコントローラユニットＭＣＵチップのウェイクアップ装置。
【請求項７】
前記低消費電力モードが通常動作モードに切り替わるよう前記Ｗｉ−Ｆｉチップを制御するように構成された制御モジュールを更に備える請求項６に記載の装置。
【請求項８】
通知メッセージを放送するよう前記Ｗｉ−Ｆｉチップを制御するように構成された放送モジュールと、
前記通知メッセージに応じて前記第２インテリジェント装置により送信されるデータを受信するように構成された第２受信モジュールと、
を更に備える請求項７に記載の装置。
【請求項９】
データを第１インテリジェント装置に送信するイベントが開始されたことを検出し、前記第１インテリジェント装置のＷｉ−Ｆｉモジュールがディープスリープ状態に入るかどうかを判別できるように、前記第１インテリジェント装置の状態を表す状態情報をサードパーティのサーバから取得して、前記第１インテリジェント装置の前記Ｗｉ−Ｆｉモジュールがスリープ状態下にあると判別した場合に、前記第１インテリジェント装置の前記Ｗｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成するように構成された生成モジュールと、
前記ウェイクアップメッセージを前記第１インテリジェント装置に送信することによって、前記第１インテリジェント装置の前記Ｗｉ−Ｆｉモジュールにおける前記ＭＣＵチップをウェイクアップするように構成された第１送信モジュールと、
を備えるマイクロコントローラユニットＭＣＵチップのウェイクアップ装置。
【請求項１０】
前記第１インテリジェント装置の前記Ｗｉ−Ｆｉモジュールにおける前記ＭＣＵチップがウェイクアップされてから前記第１インテリジェント装置により送信される通知メッセージを受信するように構成された第３受信モジュールと、
前記通知メッセージに応じて、データを前記第１インテリジェント装置に送信するように構成された第２送信モジュールと、
を更に備える請求項９に記載の装置。
【請求項１１】
コンピュータ上で動作する場合に、請求項１乃至５のいずれか１項に記載のマイクロコントローラユニットＭＣＵチップのウェイクアップ方法を前記コンピュータに実行させるコンピュータプログラム。
【請求項１２】
請求項１１に記載のコンピュータプログラムが記録されたコンピュータ読取可能な記録媒体。
【発明の詳細な説明】
【技術分野】
【０００１】
関連出願の相互参照
本出願は、２０１５年６月２９日に中国国家知識産権局に提出された中国特許出願第２０１５１０３７００６９．８号を基礎として優先権の利益を主張し、この出願の内容を参照により本明細書に組み込む。
【０００２】
本開示は、インテリジェント装置技術分野、特にＭＣＵチップのウェイクアップ方法及び装置に関する。
【背景技術】
【０００３】
一般的に、ワイヤレスフィディリティＷｉ−Ｆｉモジュールを備える装置は、データを受信及び送信するように構成されたＷｉ−Ｆｉチップと、データを解析しビジネスロジックを処理するように構成されたマスタマイクロコントローラユニットＭＣＵチップと、を備える。
【０００４】
インテリジェント装置は、受信するデータ及び送信するタスクも処理用のビジネスロジックも有していない場合、ＭＣＵチップを制御し、ディープスリープ状態に入る。そして、Ｗｉ−Ｆｉチップを制御し、低消費電力モードに入る。このとき、Ｗｉ−Ｆｉチップは、低速かつ小さいデータサイズでワイヤレスメッセージのみ受信して良い。インテリジェント装置が処理用のビジネスロジックを有している場合、システムは、ウェイクアップするための割込ウェイクアップ信号をＭＣＵチップにおける特定のピンを介してＭＣＵチップに送信する。Ｗｉ−Ｆｉチップは、ＭＣＵチップがウェイクアップされた後に限り、通常通りにデータを受信及び送信して良い。
【発明の概要】
【課題を解決するための手段】
【０００５】
従来技術における課題を解決するために、本開示は、ＭＣＵチップをウェイクアップする方法及び装置を提供する。技術的解決方法は以下の通りである。
【０００６】
本開示の第１の観点に係る実施形態によれば、ＭＣＵチップをウェイクアップする方法が提供される。当該方法は、Ｗｉ−Ｆｉモジュールを備える第１インテリジェント装置において適用され、
ワイヤレスフィディリティＷｉ−Ｆｉチップが低消費電力モード下にある場合に、第２インテリジェント装置から送信された前記低消費電力モード専用のワイヤレスメッセージを受信することと、
前記ワイヤレスメッセージが特定のウェイクアップメッセージか否かを検出することと、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信し、前記ＭＣＵチップをウェイクアップすることと、
を備え、
前記ＭＣＵチップと前記Ｗｉ−Ｆｉチップとは同一の前記Ｗｉ−Ｆｉモジュールに集積されている。
【０００７】
また、前記方法は、割込ウェイクアップ信号を前記ＭＣＵチップに送信し、前記ＭＣＵチップをウェイクアップすることの後に、
前記低消費電力モードが通常動作モードに切り替わるよう前記Ｗｉ−Ｆｉチップを前記ＭＣＵチップにより制御する。
【０００８】
また、前記方法は、前記低消費電力モードが前記通常動作モードに切り替わるよう前記Ｗｉ−Ｆｉチップを前記ＭＣＵチップにより制御することの後に、
通知メッセージを放送するよう前記ＭＣＵチップにより前記Ｗｉ−Ｆｉチップを制御することと、
前記通知メッセージに応じて前記第２インテリジェント装置により送信されるデータを前記Ｗｉ−Ｆｉチップにより受信することと、
を更に備える。
【０００９】
本開示の第２の観点に係る実施形態によれば、ＭＣＵチップをウェイクアップする方法が提供される。当該方法は、
データを第１インテリジェント装置に送信するイベントが開始されたことが検出された場合に、前記第１インテリジェント装置のＷｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成することと、
前記ウェイクアップメッセージを前記第１インテリジェント装置に送信し、前記第１インテリジェント装置の前記Ｗｉ−Ｆｉモジュールにおける前記ＭＣＵチップをウェイクアップすることと、
を備える。
【００１０】
また、前記方法は、前記ウェイクアップメッセージを前記第１インテリジェント装置に送信することの後に、
前記第１インテリジェント装置の前記Ｗｉ−Ｆｉモジュールにおける前記ＭＣＵチップがウェイクアップされてから前記第１インテリジェント装置により送信される通知メッセージを受信することと、
前記通知メッセージに応じて、データを前記第１インテリジェント装置に送信することと、
を更に備える。
【００１１】
本開示の第３の観点に係る実施形態によれば、ＭＣＵチップをウェイクアップする装置が提供される。当該装置は、
ワイヤレスフィディリティＷｉ−Ｆｉチップが低消費電力モード下にある場合に、第２インテリジェント装置から送信された前記低消費電力モード専用のワイヤレスメッセージを受信するように構成された第１受信モジュールと、
前記ワイヤレスメッセージが特定のウェイクアップメッセージか否かを検出するように構成された検出モジュールと、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信し、前記ＭＣＵチップをウェイクアップするように構成されたウェイクアップモジュールと、
を備え、
前記ＭＣＵチップと前記Ｗｉ−Ｆｉチップとは同一のＷｉ−Ｆｉモジュールに集積されている。
【００１２】
また、前記装置は、前記低消費電力モードが通常動作モードに切り替わるよう前記Ｗｉ−Ｆｉチップを制御するように構成された制御モジュールを更に備える。
【００１３】
また、前記装置は、
通知メッセージを放送するよう前記Ｗｉ−Ｆｉチップを制御するように構成された放送モジュールと、
前記通知メッセージに応じて前記第２インテリジェント装置により送信されるデータを受信するように構成された第２受信モジュールと、
を更に備える。
【００１４】
本開示の第４の観点に係る実施形態によれば、ＭＣＵチップをウェイクアップする装置が提供される。当該装置は、
データを第１インテリジェント装置に送信するイベントが開始されたことが検出された場合に、前記第１インテリジェント装置のＷｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成するように構成された生成モジュールと、
前記ウェイクアップメッセージを前記第１インテリジェント装置に送信し、前記第１インテリジェント装置の前記Ｗｉ−Ｆｉモジュールにおける前記ＭＣＵチップをウェイクアップするように構成された第１送信モジュールと、
を備える。
【００１５】
また、前記装置は、
前記第１インテリジェント装置の前記Ｗｉ−Ｆｉモジュールにおける前記ＭＣＵチップがウェイクアップされてから前記第１インテリジェント装置により送信される通知メッセージを受信するように構成された第３受信モジュールと、
前記通知メッセージに応じて、データを前記第１インテリジェント装置に送信するように構成された第２送信モジュールと、
を更に備える。
【００１６】
本開示の第５の観点に係る実施形態によれば、ＭＣＵチップをウェイクアップする装置が提供される。当該装置は、
プロセッサと、
前記プロセッサにより実行可能な指令を記憶するように構成されたメモリと、
を備え、
前記プロセッサは、
ワイヤレスフィディリティＷｉ−Ｆｉチップが低消費電力モード下にある場合に、第２インテリジェント装置から送信された前記低消費電力モード専用のワイヤレスメッセージを受信し、
前記ワイヤレスメッセージが特定のウェイクアップメッセージか否かを検出し、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信し、前記ＭＣＵチップをウェイクアップする、
ように構成され、
前記ＭＣＵチップと前記Ｗｉ−Ｆｉチップとは同一のＷｉ−Ｆｉモジュールに集積されている。
【００１７】
本開示の第６の観点に係る実施形態によれば、ＭＣＵチップをウェイクアップする装置が提供される。当該装置は、
プロセッサと、
前記プロセッサにより実行可能な指令を記憶するように構成されたメモリと、
を備え、
前記プロセッサは、
データを第１インテリジェント装置に送信するイベントが開始されたことが検出された場合に、前記第１インテリジェント装置のＷｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成し、
前記ウェイクアップメッセージを前記第１インテリジェント装置に送信し、前記第１インテリジェント装置の前記Ｗｉ−Ｆｉモジュールにおける前記ＭＣＵチップをウェイクアップする、
ように構成されている。
【００１８】
本開示で提供される技術的解決法は、以下の有益な効果を得て良い。
【００１９】
本開示の実施形態に伴い、他のインテリジェント装置がデータの送受信を求めている場合、ウェイクアップメッセージをリモート送信によりローカルＷｉ−Ｆｉチップに通知する。それにより、Ｗｉ−Ｆｉチップは、ＭＣＵチップをＷｉ−ＦｉチップとＭＣＵチップとの間を接続するウェイクアップピンを介してウェイクアップして良い。従って、インテリジェント装置間のデータ送信効率が改善される。
【図面の簡単な説明】
【００２０】
【図１】例示的な実施形態に係るＭＣＵチップのウェイクアップ方法のフローチャートである。
【図２】例示的な実施形態に係るＭＣＵチップのウェイクアップ方法のフローチャートである。
【図３】例示的な実施形態に係るＭＣＵチップのウェイクアップ方法のフローチャートである。
【図４】例示的な実施形態に係るＭＣＵチップのウェイクアップ方法のフローチャートである。
【図５】例示的な実施形態に係るＭＣＵチップのウェイクアップ方法のフローチャートである。
【図６】例示的な実施形態に係るＭＣＵチップのウェイクアップ装置のブロック図である。
【図７】例示的な実施形態に係る他のＭＣＵチップのウェイクアップ装置のブロック図である。
【図８】例示的な実施形態に係るＭＣＵチップのウェイクアップ装置（インテリジェント装置の構造）を示す概略図である。
【発明を実施するための形態】
【００２１】
本開示の技術的解決方法と利点をより明確で客観的なものにするために、例示的な実施形態は、添付図面を参照して本明細書において詳細に記述される。
【００２２】
本開示の例示的な実施形態において、ＭＣＵチップのウェイクアップ方法は提供され、この方法はＷｉ−Ｆｉモジュールを備える第１インテリジェント装置に適用される。図１に示すように、この方法は以下のステップを備える。
【００２３】
ステップ１０１において、ワイヤレスフィディリティＷｉ−Ｆｉチップが低消費電力モード下にある場合に、第２インテリジェント装置から送信される低消費電力モード専用のワイヤレスメッセージは受信される。
【００２４】
ステップ１０２において、ワイヤレスメッセージが特定のウェイクアップメッセージか否かが検出される。
【００２５】
ステップ１０３において、ワイヤレスメッセージが特定のウェイクアップメッセージであると検出された場合に、割込ウェイクアップ信号が、Ｗｉ−ＦｉチップとＭＣＵチップとの間を接続するウェイクアップピンを介してＭＣＵチップに送信され、ＭＣＵチップをウェイクアップする。
【００２６】
本実施形態において、ＭＣＵチップとＷｉ−Ｆｉチップとは同一のＷｉ−Ｆｉモジュールに集積されている。
【００２７】
本開示の実施形態において、第１インテリジェント装置と第２インテリジェント装置の各々は、携帯電話、タブレット等のような端末装置であって良い。そして、インテリジェントウェアラブル装置、インテリジェント家電等であっても良いが、本明細書に限定されない。
【００２８】
本実施形態において、第１インテリジェント装置の低消費電力モード下では、Ｗｉ−ＦｉモジュールにおけるＭＣＵチップは、ディープスリープ状態に入る。そして、Ｗｉ−ＦｉモジュールにおけるＷｉ−Ｆｉチップは、低消費電力モードに入る。
【００２９】
特に、Ｗｉ−Ｆｉチップは、低消費電力モード下において、低速及び小さいデータサイズでワイヤレスメッセージ、例えば低消費電力モード専用のワイヤレスメッセージ、のみ受信しても良い。
【００３０】
Ｗｉ−Ｆｉモジュールが消費する大電力を消費するので、インテリジェント装置は、Ｗｉ−Ｆｉモジュールがデータ受信及び送信タスクを有していない場合には、Ｗｉ−ＦｉモジュールにおけるＭＣＵチップを制御し、ディープスリープ状態に入る。そして、消費電力を減らし、エネルギーを節約する。動作するビジネスロジックがある場合、ＭＣＵチップは、割込イベントを介してウェイクアップされ、作業状態に入る。インテリジェント装置がＭＣＵチップを制御し、ディープスリープ状態に入った場合には、ＭＣＵチップが、ウェイクアップされ、ＭＣＵチップ自身が既にウェイクアップされていることを他のインテリジェント装置に知らせるために通知を他のインテリジェント装置に放送するまで、他のインテリジェント装置は、ローカルインテリジェント装置とデータの送受信をしなくても良い。
【００３１】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＷｉ−Ｆｉチップをウェイクアップしても良い。従って、インテリジェント装置間のデータ送信効率が改善される。
【００３２】
本開示の例示的な実施形態において、ＭＣＵチップのウェイクアップ方法が提供される。そして、この方法は、図２に示すように、インテリジェント装置に適用される。ＭＣＵチップとＷｉ−Ｆｉチップとは同一のＷｉ−Ｆｉモジュールに集積される。
【００３３】
方法は、以下のステップを備える。
【００３４】
ステップ２０１において、Ｗｉ−Ｆｉチップが低消費電力モード下にある場合に、第２インテリジェント装置から送信される低消費電力モード専用のワイヤレスメッセージは受信される。
【００３５】
ステップ２０２において、ワイヤレスメッセージが特定のウェイクアップメッセージか否かが検出される。
【００３６】
ステップ２０３において、ワイヤレスメッセージが特定のウェイクアップメッセージであると検出された場合に、割込ウェイクアップ信号が、Ｗｉ−ＦｉチップとＭＣＵチップとの間を接続するウェイクアップピンを介してＭＣＵチップに送信され、ＭＣＵチップをウェイクアップする。
【００３７】
ステップ２０１〜ステップ２０３は、Ｗｉ−ＦｉモジュールにおけるＭＣＵチップをウェイクアップするために実行される。そして、ＭＣＵチップがウェイクアップされると、第２インテリジェント装置と通信するステップが実行される。
【００３８】
ステップ２０４において、ＭＣＵチップは、低消費電力モードが通常動作モードに切り替わるようＷｉ−Ｆｉチップを制御する。
【００３９】
ステップ２０５において、ＭＣＵチップは、通知メッセージを放送するようＷｉ−Ｆｉチップを制御する。
【００４０】
ステップ２０６において、Ｗｉ−Ｆｉチップは、通知メッセージに応じて第２インテリジェント装置により送信されるデータを受信する。
【００４１】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＷｉ−Ｆｉチップをウェイクアップし、他のインテリジェント装置と通信しても良い。従って、インテリジェント装置間のデータ送信効率が改善される。
【００４２】
本開示の例示的な実施形態において、ＭＣＵチップのウェイクアップ方法が提供される。そして、この方法は、インテリジェント装置に適用される。図３に示すように、この方法は、以下のステップを備える。
【００４３】
ステップ３０１において、データを第１インテリジェント装置に送信するイベントが開始されたことが検出された場合に、第２インテリジェント装置は、第１インテリジェント装置のＷｉ−ＦｉモジュールにおけるＭＣＵチップをウェイクアップするために、低消費電力モード下にある第１インテリジェント装置のＷｉ−ＦｉモジュールにおけるＷｉ−Ｆｉチップ専用のウェイクアップメッセージを生成する。
【００４４】
ステップ３０２において、第２インテリジェント装置は、ウェイクアップメッセージを第１インテリジェント装置に送信し、第１インテリジェント装置のＷｉ−ＦｉモジュールにおけるＭＣＵチップをウェイクアップする。
【００４５】
本実施形態において、第１インテリジェント装置と第２インテリジェント装置の各々は、携帯電話、タブレット等のような端末装置であって良い。そして、インテリジェントウェアラブル装置、インテリジェント家電等であっても良いが、本明細書に限定されない。
【００４６】
実施形態において、第１インテリジェント装置へのデータ送信のイベントが開始された後、第２インテリジェント装置は、第１インテリジェント装置がディープスリープ状態か否かにかかわらず、データ送信のための準備をすることを第１インテリジェント装置に知らせるために、ウェイクアップメッセージを第１インテリジェント装置に送信しても良い。
【００４７】
他のケースにおいて、第１インテリジェント装置は、第１インテリジェント装置自身の状態をサードパーティのサーバに定期的に送信する。例えば、第１インテリジェント装置のＷｉ−Ｆｉモジュールが作業状態下にあることを、ハートビートメッセージを送信することによりサードパーティのサーバに知らせる。サードパーティのサーバが第１インテリジェント装置により定刻に送信されるハートビートメッセージを受信しない場合には、第１インテリジェント装置におけるＷｉ−Ｆｉモジュールがスリープ状態下にある、例えば、Ｗｉ−Ｆｉチップが低消費電力モード下にあり、ＭＣＵチップがディープスリープ状態下にある、と判別しても良い。従って、第２インテリジェント装置がデータを第１インテリジェント装置に送信するイベントを開始する場合、第２インテリジェント装置は、第１インテリジェント装置の状態をサードパーティのサーバから取得して良い。そして、第１インテリジェント装置のＷｉ−Ｆｉモジュールがスリープ状態下にあると判別した場合には、ウェイクアップメッセージを第１インテリジェント装置に送信して良い。
【００４８】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＭＣＵチップをウェイクアップしても良い。従って、インテリジェント装置間のデータ送信効率が改善される。
【００４９】
本開示の例示的な実施形態において、ＭＣＵチップのウェイクアップ方法が提供される。そして、この方法は、図４に示すように、インテリジェント装置に適用される。
【００５０】
方法は、以下のステップを備える。
【００５１】
ステップ４０１において、データを第１インテリジェント装置に送信するイベントが開始されたことが検出された場合、第１インテリジェント装置のＷｉ−ＦｉモジュールにおけるＭＣＵチップのウェイクアップのために、低消費電力モード下にある第１インテリジェント装置のＷｉ−ＦｉモジュールにおけるＷｉ−Ｆｉチップ専用のウェイクアップメッセージが生成される。
【００５２】
ステップ４０２において、ウェイクアップメッセージは第１インテリジェント装置に送信され、第１インテリジェント装置のＷｉ−ＦｉモジュールにおけるＭＣＵチップをウェイクアップする。
【００５３】
ステップ４０１〜ステップ４０２は、第１インテリジェント装置との通信が必要である場合に、第１インテリジェント装置のＷｉ−ＦｉモジュールにおけるＭＣＵチップをウェイクアップするために実行される。そして、ステップ４０３から始まり、通信手順は、第１インテリジェント装置のＷｉ−ＦｉモジュールにおけるＭＣＵチップがウェイクアップした後に実行される。
【００５４】
ステップ４０３において、第１インテリジェント装置のＷｉ−ＦｉモジュールにおけるＭＣＵチップがウェイクアップした後に、第１インテリジェント装置により送信される通知メッセージが受信される。
【００５５】
ステップ４０４において、通知メッセージに応じて、データが第１インテリジェント装置に送信される。
【００５６】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＷｉ−Ｆｉチップをウェイクアップし、他のインテリジェント装置と通信しても良い。従って、インテリジェント装置間のデータ送信効率が改善される。
【００５７】
本開示の例示的な実施形態において、図５に示すように、ＭＣＵチップのウェイクアップ方法が提供される。
【００５８】
本実施形態において、第１インテリジェント装置のＷｉ−ＦｉモジュールにおけるＭＣＵチップをウェイクアップする手順は、ウェイクアップ後の通信手順と同様に、第１インテリジェント装置と第２インテリジェント装置の両方で操作手順を参照して記述される。
【００５９】
特に、方法は以下のステップを備える。
【００６０】
ステップ５０１において、データを第１インテリジェント装置に送信するイベントが開始されたことが検出された場合に、第２インテリジェント装置は、第１インテリジェント装置のＷｉ−ＦｉモジュールにおけるＭＣＵチップをウェイクアップするためのウェイクアップメッセージであって、低消費電力モード下にある第１インテリジェント装置のＷｉ−ＦｉモジュールにおけるＷｉ−Ｆｉチップ専用のウェイクアップメッセージを生成する。
【００６１】
特に、低消費電力モード下にあるＷｉ−Ｆｉチップ用の特定のメッセージプロトコルは、第１インテリジェント装置に予め記憶されている。そして、ウェイクアップメッセージは、特定のメッセージプロトコルとウェイクアップメッセージ生成ルールに応じて生成される。
【００６２】
ステップ５０２において、ウェイクアップメッセージは第１インテリジェント装置に送信され、第１インテリジェント装置のＷｉ−ＦｉモジュールにおけるＭＣＵチップはウェイクアップする。
【００６３】
また、第２インテリジェント装置は、第１インテリジェント装置のＷｉ−Ｆｉチップが低消費電力モード下にあり、低消費電力下の特定のメッセージを受信するインタフェースが信頼性を欠くかもしれないので、ウェイクアップメッセージを数回送信しても良い。
【００６４】
そのため、第１インテリジェント装置は最初のウェイクアップメッセージに応答しなくても構わない。
【００６５】
ステップ５０３において、Ｗｉ−Ｆｉチップが低消費電力モード下にある場合には、第１インテリジェント装置のＷｉ−ＦｉモジュールにおけるＷｉ−Ｆｉチップは、低消費電力モード専用のワイヤレスメッセージを第２インテリジェント装置から受信する。
【００６６】
ステップ５０４において、ワイヤレスメッセージが特定のウェイクアップメッセージか否かが検出される。
【００６７】
特に、ウェイクアップメッセージ生成ルールは、第１インテリジェント装置に予め設定されている。そして、受信されたワイヤレスメッセージがウェイクアップメッセージか否かは、生成ルールに応じて、例えば、ワイヤレスメッセージの各フィールドと生成ルールとの照合により、判別されても良い。
【００６８】
ステップ５０５において、ワイヤレスメッセージが特定のウェイクアップメッセージであると検出された場合に、割込ウェイクアップ信号をＷｉ−ＦｉチップとＭＣＵチップとの間を接続するウェイクアップピンを介してＭＣＵチップに送信し、ＭＣＵチップをウェイクアップする。
【００６９】
実施形態において、ＭＣＵチップとＷｉ−Ｆｉチップとは同一のＷｉ−Ｆｉモジュールに集積されている。
【００７０】
ウェイクアップピンは、Ｗｉ−ＦｉモジュールにおいてＷｉ−ＦｉチップとＭＣＵチップとの間を接続する。そのため、Ｗｉ−Ｆｉチップは、ウェイクアップメッセージを受信した場合、パルス信号（例えば割込ウェイクアップ信号）をウェイクアップピンを介してＭＣＵチップに送信するように動作しても良い。
【００７１】
本開示において、ＭＣＵチップは、リモートインテリジェント装置からのウェイクアップメッセージを伴う外部割込ウェイクアップ信号が誘引となりウェイクアップされるため、リモートでのＭＣＵチップのウェイクアップが実現する。
【００７２】
ステップ５０６において、第１インテリジェント装置のＷｉ−ＦｉモジュールにおけるＭＣＵチップは、低消費電力モードが通常動作モードに切り替わるようＷｉ−Ｆｉチップを制御する。
【００７３】
ステップ５０７において、第１インテリジェント装置のＷｉ−ＦｉモジュールにおけるＭＣＵチップは、通知メッセージを放送するようＷｉ−Ｆｉチップを制御する。
【００７４】
特に、通知メッセージは、放送により送信されても良い。それにより、放送範囲内の第２インテリジェント装置及び他のインテリジェント装置は、第１インテリジェント装置のＷｉ−Ｆｉモジュールが既に作業状態に入っているのでデータの送受信が実行されても良いことを知らされても構わない。
【００７５】
ステップ５０８において、Ｗｉ−ＦｉモジュールにおけるＭＣＵチップがウェイクアップされると、第２インテリジェント装置は、第１インテリジェント装置により送信される通知メッセージを受信する。
【００７６】
このとき、第２インテリジェント装置は、第１インテリジェント装置におけるＷｉ−Ｆｉモジュールが既に作業状態に入っている、例えば、ＭＣＵチップがウェイクアップされ、Ｗｉ−Ｆｉチップが既に通常作業状態に入っている、と判別する。従って、第２インテリジェント装置は、第１インテリジェント装置がデータを送受信して良いと判別する。
【００７７】
ステップ５０９において、第２インテリジェント装置は、通知メッセージに応じて、データを第１インテリジェント装置に送信する。
【００７８】
ステップ５１０において、第１インテリジェント装置は、通知メッセージに応じて第２インテリジェント装置により送信されるデータを受信する。
【００７９】
ここに、第１インテリジェント装置におけるＭＣＵチップを第２インテリジェント装置を介してリモートでウェイクアップし、ＭＣＵチップがウェイクアップするとデータを送信する手順が完了する。
【００８０】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＷｉ−Ｆｉチップをウェイクアップし、他のインテリジェント装置と通信しても良い。従って、インテリジェント装置間のデータ送信効率が改善される。
【００８１】
上述のＭＣＵチップのウェイクアップ方法に対応する、ＭＣＵチップのウェイクアップ装置が、本開示の他の例示的な実施形態において提供される。この装置は、インテリジェント装置に適用される。図６に示すように、この装置は、第１受信モジュール６０１と、検出モジュール６０２と、ウェイクアップモジュール６０３と、を備える。
【００８２】
第１受信モジュール６０１は、ワイヤレスフィディリティＷｉ−Ｆｉチップが低消費電力モード下にある場合に、第２インテリジェント装置から送信された低消費電力モード専用のワイヤレスメッセージを受信するように構成されている。
【００８３】
検出モジュール６０２は、ワイヤレスメッセージが特定のウェイクアップメッセージか否かを検出するように構成されている。
【００８４】
ウェイクアップモジュール６０３は、ワイヤレスメッセージが特定のウェイクアップメッセージであると検出された場合に、割込ウェイクアップ信号をＷｉ−ＦｉチップとＭＣＵチップとの間を接続するウェイクアップピンを介してＭＣＵチップに送信し、ＭＣＵチップをウェイクアップするように構成されている。
【００８５】
本実施形態において、ＭＣＵチップとＷｉ−Ｆｉチップとは同一のＷｉ−Ｆｉモジュールに集積されている。
【００８６】
装置は、制御モジュール６０４を更に備えても良い。
【００８７】
制御モジュール６０４は、低消費電力モードが通常動作モードに切り替わるようＷｉ−Ｆｉチップを制御するように構成されている。
【００８８】
装置は、放送モジュール６０５と、第２受信モジュール６０６と、を更に備えても良い。
【００８９】
放送モジュール６０５は、通知メッセージを放送するようＷｉ−Ｆｉチップを制御するように構成されている。
【００９０】
第２受信モジュール６０６は、通知メッセージに応じて第２インテリジェント装置により送信されるデータを受信するように構成されている。
【００９１】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＷｉ−Ｆｉチップをウェイクアップし、他のインテリジェント装置と通信しても良い。従って、インテリジェント装置間のデータ送信効率が改善される。
【００９２】
本開示の例示的な実施形態における上述のＭＣＵチップのウェイクアップ方法に対応する、ＭＣＵチップのウェイクアップ装置が、本開示の他の例示的な実施形態において提供される。この装置は、インテリジェント装置に適用される。図７に示すように、この装置は、生成モジュール７０１と、第１送信モジュール７０２と、を備える。
【００９３】
生成モジュール７０１は、データを第１インテリジェント装置に送信するイベントが開始されたことが検出された場合に、第１インテリジェント装置のＷｉ−ＦｉモジュールにおけるＭＣＵチップをウェイクアップするためのウェイクアップメッセージであって、低消費電力モード下にある第１インテリジェント装置のＷｉ−ＦｉモジュールにおけるＷｉ−Ｆｉチップ専用のウェイクアップメッセージを生成するように構成されている。
【００９４】
第１送信モジュール７０２は、ウェイクアップメッセージを第１インテリジェント装置に送信し、第１インテリジェント装置のＷｉ−ＦｉモジュールにおけるＭＣＵチップをウェイクアップするように構成されている。
【００９５】
装置は、第３受信モジュール７０３と、第２送信モジュール７０４と、を更に備えても良い。
【００９６】
第３受信モジュール７０３は、第１インテリジェント装置のＷｉ−ＦｉモジュールにおけるＭＣＵチップがウェイクアップされてから第１インテリジェント装置により送信される通知メッセージを受信するように構成されている。
【００９７】
第２送信モジュール７０４は、通知メッセージに応じて、データを第１インテリジェント装置に送信するように構成されている。
【００９８】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＷｉ−Ｆｉチップをウェイクアップしても良い。従って、インテリジェント装置間のデータ送信効率が改善される。
【００９９】
本開示の例示的な実施形態における上述のＭＣＵチップのウェイクアップ方法に対応する、ＭＣＵチップのウェイクアップ装置が、本開示の他の例示的な実施形態において提供される。この装置は、
プロセッサと、
プロセッサにより実行可能な指令を記憶するように構成されたメモリと、
を備え、
プロセッサは、
ワイヤレスフィディリティＷｉ−Ｆｉチップが低消費電力モード下にある場合に、第２インテリジェント装置から送信された低消費電力モード専用のワイヤレスメッセージを受信し、
ワイヤレスメッセージが特定のウェイクアップメッセージか否かを検出し、
ワイヤレスメッセージが特定のウェイクアップメッセージであると検出された場合に、割込ウェイクアップ信号をＷｉ−ＦｉチップとＭＣＵチップとの間を接続するウェイクアップピンを介してＭＣＵチップに送信し、ＭＣＵチップをウェイクアップする、
ように構成され、
ＭＣＵチップとＷｉ−Ｆｉチップとは同一のＷｉ−Ｆｉモジュールに集積されている。
【０１００】
本開示の例示的な実施形態における上述のＭＣＵチップのウェイクアップ方法に対応する、ＭＣＵチップのウェイクアップ装置が、本開示の他の例示的な実施形態において提供される。この装置は、
プロセッサと、
プロセッサにより実行可能な指令を記憶するように構成されたメモリと、
を備え、
プロセッサは、
データを第１インテリジェント装置に送信するイベントが開始されたことが検出された場合に、第１インテリジェント装置のＷｉ−ＦｉモジュールにおけるＭＣＵチップをウェイクアップするためのウェイクアップメッセージであって、低消費電力モード下にある第１インテリジェント装置のＷｉ−ＦｉモジュールにおけるＷｉ−Ｆｉチップ専用のウェイクアップメッセージを生成し、
ウェイクアップメッセージを第１インテリジェント装置に送信し、第１インテリジェント装置のＷｉ−ＦｉモジュールにおけるＭＣＵチップをウェイクアップする、
ように構成されている。
【０１０１】
上記例示的な実施形態において提供されたＭＣＵチップのウェイクアップ装置に対応する、インテリジェント装置８００は、本開示の他の例示的な実施形態において提供される。例えば、インテリジェント装置８００は、携帯電話、コンピュータ、デジタル放送端末、メッセージング装置、ゲームコンソール、タブレット装置、フィットネス機器、携帯端末ＰＤＡ、端末等であっても良い。また、インテリジェント装置８００は、インテリジェントルータ、インテリジェント空気清浄機、インテリジェント浄水器、インテリジェントカメラ等であっても良い。
【０１０２】
図８を参照すると、インテリジェント装置８００は、以下の１以上のコンポーネント、即ち、処理コンポーネント８０２、メモリ８０４、電力コンポーネント８０６、マルチメディアコンポーネント８０８、オーディオコンポーネント８１０、入力／出力（Ｉ／Ｏ）インタフェース８１２、センサコンポーネント８１４、通信コンポーネント８１６を備えていても良い。
【０１０３】
処理コンポーネント８０２は、典型的には、インテリジェント装置８００全体の動作、例えば、表示、通話、データ通信、カメラ動作、記録動作に関連する動作を制御する。処理コンポーネント８０２は、上述の方法における全体又は一部のステップを実行させる指令を実行する１以上のプロセッサ８２０を備えていても良い。更に、処理コンポーネント８０２は、処理コンポーネント８０２と他のコンポーネントとの間の相互作用を容易にする１以上のモジュールを備えていても良い。例えば、処理コンポーネント８０２は、マルチメディアコンポーネント８０８と処理コンポーネント８０２との間の相互作用を容易にするマルチメディアモジュールを備えていても良い。
【０１０４】
メモリ８０４は、インテリジェント装置８００の動作をサポートする様々なタイプのデータを記憶するように構成されている。このデータの例は、インテリジェント８００で動作する任意のアプリケーション又は方法のための指令、接触データ、電話帳データ、メッセージ、写真、ビデオ等を含む。メモリ８０４は、任意のタイプの揮発性又は不揮発性メモリ、又は、それらの組み合わせ、例えば、スタティックランダムアクセスメモリ（ＳＲＡＭ）、電気的消去可能プログラマブルリードオンリメモリ（ＥＥＰＲＯＭ）、消去可能プログラマブルリードオンリメモリ（ＥＰＲＯＭ）、プログラマブルリードオンリメモリ（ＰＲＯＭ）、リードオンリメモリ（ＲＯＭ）、磁気メモリ、フラッシュメモリ、磁気又は光ディスクを使用するよう実装されて良い。
【０１０５】
電力コンポーネント８０６は、電力をインテリジェント装置８００の種々の電力コンポーネントに提供する。電力コンポーネント８００は、電力管理システム、１以上の動力源、生成、管理、インテリジェント装置８００における電力の分配に関連する任意の他のコンポーネントを備えていても良い。
【０１０６】
マルチメディアコンポーネント８０８は、インテリジェント装置とユーザとの間の出力インタフェースを提供するスクリーンを備えていても良い。いくつかの実施形態において、スクリーンは、液晶ディスプレイ（ＬＣＤ）とタッチパネル（ＴＰ）とを備えていても良い。スクリーンがタッチパネルを備えている場合、スクリーンは、タッチスクリーンが入力信号をユーザから受信するように実装されても良い。タッチパネルは、タッチパネル上におけるタッチ、スワイプ、他のジェスチャを感知するための１以上のタッチセンサを備える。タッチセンサは、タッチ又はスワイプ動作の境界を感知するだけでなく、タッチ又はスワイプ動作に関連する継続時間と圧力を感知しても良い。いくつかの実施形態において、マルチメディアコンポーネント８０８は、フロントカメラ及び／又はリアカメラを備えていても良い。フロントカメラとリアカメラは、インテリジェント装置８００が動作モード、例えば、撮影モード、ビデオモードにある間に外部のマルチメディアデータを受信しても良い。フロントカメラとリアカメラの各々は、固定された光学レンズ系であっても良いし、フォーカスと光学ズーム機能を有していても良い。
【０１０７】
オーディオコンポーネント８１０は、出力及び／又は入力するように構成されている。例えば、オーディオコンポーネント８１０は、インテリジェント装置８００が動作モード、例えば、通話モード、記録モード、音声認識モードにある場合に、外部のオーディオ信号を受信するように構成されたマイクロフォン（ＭＩＣ）を備える。受信されたオーディオ信号は、メモリ８０４に更に記憶されても良いし、通信コンポーネント８１６を介して送信されても良い。いくつかの実施形態において、オーディオコンポーネント８１０は、オーディオ信号を出力するスピーカを備えていても良い。
【０１０８】
Ｉ／Ｏインタフェース８１２は、処理コンポーネント８０２及び周辺機器インタフェースモジュール、例えば、キーボード、クリックホイール、ボタン等のためのインタフェースを提供する。ボタンは、これに限定されないが、ホームボタン、音量ボタン、開始ボタン、ロックボタンを備えていても良い。
【０１０９】
センサコンポーネント８１４は、装置８００の各種観点の状態評価を提供する１以上のセンサを備える。例えば、センサコンポーネント８１４は、インテリジェント装置８００の開／閉状態及びコンポーネント（例えば、インテリジェント装置８００のディスプレイとキーパッド）の相対位置を検出しても良い。また、センサコンポーネント８１４は、インテリジェント装置８００又はインテリジェント装置８００におけるコンポーネントの位置の変化、インテリジェント装置８００に対するユーザ接触の有無、インテリジェント装置８００の向き又は加速／減速、インテリジェント装置８００の温度の変化を検出しても良い。センサコンポーネント８１４は、物理的接触なしで隣接物体の存在を検出するように構成された近接センサを備えていても良い。また、センサコンポーネント８１４は、光センサ、例えば、画像アプリケーションでの使用のために、ＣＭＯＳ又はＣＣＤ画像センサを備えていても良い。また、いくつかの実施形態において、センサコンポーネント８１４は、加速度センサ、ジャイロセンサ、磁気センサ、圧力センサ、温度センサを備えていても良い。
【０１１０】
通信コンポーネント８１６は、インテリジェント装置８００と他の装置との間の有線又は無線通信を容易にするように構成されている。インテリジェント装置８００は、通信規格、例えば、ＷＩＦＩ、２Ｇ、３Ｇ、それらの組み合わせに基づいて無線ネットワークにアクセスすることができる。一実施形態において、通信コンポーネント８１６は、放送信号又は放送関連情報を外部放送管理システムから放送チャネルを介して受信する。例示的な一実施形態において、通信コンポーネント８１６は、近距離通信を容易にする近距離無線通信（ＮＦＣ）モジュールを更に備える。例えば、ＮＦＣモジュールは、無線自動識別（ＲＦＩＤ）技術、赤外線通信規格（ＩｒＤＡ）技術、超広帯域（ＵＷＢ）技術、ブルートゥース（ＢＴ）技術、他の技術に基づいて実装されても良い。
【０１１１】
例示的な実施形態において、インテリジェント装置８００は、上述の方法を実行するために、１以上の特定用途向け集積回路（ＡＳＩＣｓ）、デジタルシグナルプロセッサ（ＤＳＰｓ）、デジタルシグナル処理装置（ＤＳＰＤｓ）、プログラマブルロジック装置（ＰＬＤｓ）、フィールドプログラマブルゲートアレイ（ＦＰＧＡｓ）、制御機、マイクロ制御機、マイクロプロセッサ、他の電子コンポーネントで実装されても良い。
【０１１２】
また、例示的な実施形態において、指定を有する記憶する非一時的なコンピュータ読取可能な記録媒体、例えば、指令を有するメモリ８０４が提供されても良い。上述の指令は、上記方法の実行のために、インテリジェント装置８００におけるプロセッサ８２０により実行され得る。例えば、非一時的なコンピュータ読取可能な記録媒体は、ＲＯＭ、ＲＡＭ、ＣＤ−ＲＯＭ、磁気テープ、フロッピー（登録商標）ディスク、光データ記憶装置、であって良い。
【０１１３】
本開示の実施形態に関し、他のインテリジェント装置は、データの送受信を求める場合、ウェイクアップメッセージをリモート送信によりローカルＷｉ−Ｆｉチップに通知する。それにより、Ｗｉ−Ｆｉチップは、Ｗｉ−ＦｉチップとＭＣＵチップとの間を接続するウェイクアップピンを介してＭＣＵチップをウェイクアップしても良い。従って、インテリジェント装置間のデータ送信効率が改善される。
【０１１４】
発明の他の実施形態は、ここに開示された発明の仕様及び明細書を考慮すれば当業者には明らかである。本出願は、任意の変形、使用、以下のその一般的な原理に従い、当技術分野で公知又は慣行内に入るような本開示からの逸脱を含むことが意図されている。発明の真の範囲及び精神は以下の特許請求の範囲により示されると共に、明細書及び実施例は例示としてのみ考慮されることが意図されている。
【０１１５】
本発明は上述され添付図面で示された正確な構造に限定されず、種々の修正及び変更はその範囲を逸脱することなく形成され得ることが理解されるだろう。本発明の範囲は添付の特許請求の範囲によってのみ限定されることが意図されている。
（付記）
（付記１）
Ｗｉ−Ｆｉモジュールを有する第１インテリジェント装置に適用されるマイクロコントローラユニットＭＣＵチップのウェイクアップ方法であって、
ワイヤレスフィディリティＷｉ−Ｆｉチップが低消費電力モード下にある場合に、第２インテリジェント装置から送信された前記低消費電力モード専用のワイヤレスメッセージを受信することと、
前記ワイヤレスメッセージが特定のウェイクアップメッセージか否かを検出することと、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信し、前記ＭＣＵチップをウェイクアップすることと、
を備え、
前記ＭＣＵチップと前記Ｗｉ−Ｆｉチップとは同一の前記Ｗｉ−Ｆｉモジュールに集積されている、
マイクロコントローラユニットＭＣＵチップのウェイクアップ方法。
（付記２）
前記割込ウェイクアップ信号を前記ＭＣＵチップに送信し、前記ＭＣＵチップをウェイクアップすることの後に、
前記低消費電力モードが通常動作モードに切り替わるよう前記Ｗｉ−Ｆｉチップを前記ＭＣＵチップにより制御することを更に備える付記１に記載の方法。
（付記３）
前記低消費電力モードが前記通常動作モードに切り替わるよう前記Ｗｉ−Ｆｉチップを前記ＭＣＵチップにより制御することの後に、
通知メッセージを放送するよう前記ＭＣＵチップにより前記Ｗｉ−Ｆｉチップを制御することと、
前記通知メッセージに応じて前記第２インテリジェント装置により送信されるデータを前記Ｗｉ−Ｆｉチップにより受信することと、
を更に備える付記２に記載の方法。
（付記４）
データを第１インテリジェント装置に送信するイベントが開始されたことが検出された場合に、前記第１インテリジェント装置のＷｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成することと、
前記ウェイクアップメッセージを前記第１インテリジェント装置に送信し、前記第１インテリジェント装置の前記Ｗｉ−Ｆｉモジュールにおける前記ＭＣＵチップをウェイクアップすることと、
を備えるマイクロコントローラユニットＭＣＵチップのウェイクアップ方法。
（付記５）
前記ウェイクアップメッセージを前記第１インテリジェント装置に送信することの後に、
前記第１インテリジェント装置の前記Ｗｉ−Ｆｉモジュールにおける前記ＭＣＵチップがウェイクアップされてから前記第１インテリジェント装置により送信される通知メッセージを受信することと、
前記通知メッセージに応じて、データを前記第１インテリジェント装置に送信することと、
を更に備える付記４に記載の方法。
（付記６）
ワイヤレスフィディリティＷｉ−Ｆｉチップが低消費電力モード下にある場合に、第２インテリジェント装置から送信された前記低消費電力モード専用のワイヤレスメッセージを受信するように構成された第１受信モジュールと、
前記ワイヤレスメッセージが特定のウェイクアップメッセージか否かを検出するように構成された検出モジュールと、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信し、前記ＭＣＵチップをウェイクアップするように構成されたウェイクアップモジュールと、
を備え、
前記ＭＣＵチップと前記Ｗｉ−Ｆｉチップとは同一のＷｉ−Ｆｉモジュールに集積されている、
マイクロコントローラユニットＭＣＵチップのウェイクアップ装置。
（付記７）
前記低消費電力モードが通常動作モードに切り替わるよう前記Ｗｉ−Ｆｉチップを制御するように構成された制御モジュールを更に備える付記６に記載の装置。
（付記８）
通知メッセージを放送するよう前記Ｗｉ−Ｆｉチップを制御するように構成された放送モジュールと、
前記通知メッセージに応じて前記第２インテリジェント装置により送信されるデータを受信するように構成された第２受信モジュールと、
を更に備える付記７に記載の装置。
（付記９）
データを第１インテリジェント装置に送信するイベントが開始されたことが検出された場合に、前記第１インテリジェント装置のＷｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成するように構成された生成モジュールと、
前記ウェイクアップメッセージを前記第１インテリジェント装置に送信し、前記第１インテリジェント装置の前記Ｗｉ−Ｆｉモジュールにおける前記ＭＣＵチップをウェイクアップするように構成された第１送信モジュールと、
を備えるマイクロコントローラユニットＭＣＵチップのウェイクアップ装置。
（付記１０）
前記第１インテリジェント装置の前記Ｗｉ−Ｆｉモジュールにおける前記ＭＣＵチップがウェイクアップされてから前記第１インテリジェント装置により送信される通知メッセージを受信するように構成された第３受信モジュールと、
前記通知メッセージに応じて、データを前記第１インテリジェント装置に送信するように構成された第２送信モジュールと、
を更に備える付記９に記載の装置。
（付記１１）
プロセッサと、
前記プロセッサにより実行可能な指令を記憶するように構成されたメモリと、
を備え、
前記プロセッサは、
ワイヤレスフィディリティＷｉ−Ｆｉチップが低消費電力モード下にある場合に、第２インテリジェント装置から送信された前記低消費電力モード専用のワイヤレスメッセージを受信し、
前記ワイヤレスメッセージが特定のウェイクアップメッセージか否かを検出し、
前記ワイヤレスメッセージが前記特定のウェイクアップメッセージであると検出された場合に、割込ウェイクアップ信号を前記Ｗｉ−ＦｉチップとＭＣＵチップとの間を接続するウェイクアップピンを介して前記ＭＣＵチップに送信し、前記ＭＣＵチップをウェイクアップする、
ように構成され、
前記ＭＣＵチップと前記Ｗｉ−Ｆｉチップとは同一のＷｉ−Ｆｉモジュールに集積されている、
マイクロコントローラユニットＭＣＵチップのウェイクアップ装置。
（付記１２）
プロセッサと、
前記プロセッサにより実行可能な指令を記憶するように構成されたメモリと、
を備え、
前記プロセッサは、
データを第１インテリジェント装置に送信するイベントが開始されたことが検出された場合に、前記第１インテリジェント装置のＷｉ−ＦｉモジュールにおけるＭＣＵチップをウェイクアップするためのウェイクアップメッセージであって、低消費電力モード下にある前記第１インテリジェント装置の前記Ｗｉ−ＦｉモジュールにおけるＷｉ−Ｆｉチップ専用のウェイクアップメッセージを生成し、
前記ウェイクアップメッセージを前記第１インテリジェント装置に送信し、前記第１インテリジェント装置の前記Ｗｉ−Ｆｉモジュールにおける前記ＭＣＵチップをウェイクアップする、
ように構成されている、
マイクロコントローラユニットＭＣＵチップのウェイクアップ装置。
【図１】
0006343099.tif 000002
【図２】
0006343099.tif 000003
【図３】
0006343099.tif 000004
【図４】
0006343099.tif 000005
【図５】
0006343099.tif 000006
【図６】
0006343099.tif 000007
【図７】
0006343099.tif 000008
【図８】
0006343099.tif 000009